(57)【特許請求の範囲】
【請求項１】
可撓ホース（３０）の壁に開けた散水ノズル取付孔（３１）に取付ける可撓ホース用散水ノズルにおいて、
略円柱状散水ノズル本体（４０）とノズル固定用キャップ（６０）とより構成し、
前記散水ノズル本体（４０）は，散水ノズル取付孔（３１）を長円状に押拡げた状態において，傾けて挿入可能で且つ散水ノズル取付孔（３１）の内径よりも大きい外径を持つところの偏平なベース部（５０）を，散水ノズル取付孔（３１）に通す略円柱状散水ノズル本体（４０）の下面に一体に結合して形成すると共に，
該ベース部（５０）の下面に開口する水通路（４５）を散水ノズル本体（４０）の先端側方の水噴出口（４６）に開口させ，而も下面に翼片傾斜面（４２）を有する翼片（４１，４１）を散水ノズル本体（４０）の外面に設け、
前記ノズル固定用キャップ（６０）は，散水ノズル本体（４０）を通す円形孔（６６）と翼片（４１，４１）を通す切欠（６７，６７）と回動したとき翼片傾斜面（４２）を押すキャップ傾斜面（６８）とを備え、
散水ノズル取付孔（３１）に挿入した状態の前記散水ノズル本体（４０）に、前記ノズル固定用キャップ（６０）を嵌込んで回動し締付けた位置においては，翼片傾斜面（４２，４２）がノズル固定用キャップ（６０）のキャップ傾斜面（６８，６８）に押され、ベース部（５０）とノズル固定用キャップ（６０）の略円筒状側壁部（６１）との間に，可撓ホース（３０）の散水ノズル取付孔（３１）の周囲部分が内外から挟み込まれることを特徴とする可撓ホース用散水ノズル。
【請求項２】
前記キャップ傾斜面（６８，６８）上に、翼片（４１，４１）が係合する凹部（６９，６９）を設けてなる請求項１記載の可撓ホース用散水ノズル。
【発明の詳細な説明】
【０００１】
【産業上の利用分野】
本発明は、可撓ホース壁に突設する散水ノズルに関するものである。
【０００２】
【従来の技術】
従来、農業等で野菜・果樹・草花等に潅水するために、図１に示すように、水源（水道栓）から栽培現場までの水の供給手段としては、硬質塩ビ管・鋼管等の不撓管１０を使い、その不撓管１０の壁に散水ノズル２０を取付けるに当っては、不撓管１０の壁にタップでネジ孔１１を開け、そのネジ孔１１に散水ノズル２０の下部に形成した外ネジ部２１をねじ込むようにしている。
【０００３】
しかしながら、上記従来の不撓管１０及びその不撓管１０にネジ留めした散水ノズル２０による潅水は、地面に敷設する必要がある、不撓管１０の散水位置が固定される、収納性に欠ける等の問題点がある。
【０００４】
その対策として、ゴム・樹脂等のエラストマー製可撓ホースを使用することが考えられるが、エラストマー製可撓ホースにはタップを使ってネジ孔を開けることが困難であり、また、それを使って水を供給し、散水ノズルから散水する際、水圧により、ホースが膨張するため、散水ノズルをホース壁に固定することが出来ず、散水ノズルの付け根から水漏れすると言う新たな問題点が生じる。
【０００５】
【発明が解決しようとする課題】
解決しようとする問題点は、上記従来の不撓管１０及びその不撓管１０にネジ留めした散水ノズル２０による潅水は、地面に敷設する必要がある、不撓管１０の散水位置が固定される、収納性に欠けること、また、その対策として期待されるエラストマー製可撓ホースは、ネジ孔を開けることが困難であり、散水時、水圧により、ホースが膨張し、散水ノズルが固定出来ず、散水ノズルの付け根から水漏れすることであり、本発明は上記問題を解決した、可撓性ホース壁に取付け可能で、シール性に優れた散水ノズルを提供するものである。
【０００６】
【課題を解決するための手段】
第１の発明は、可撓ホース３０の壁に開けた散水ノズル取付孔３１に取付ける可撓ホース用散水ノズルにおいて、
略円柱状散水ノズル本体４０とノズル固定用キャップ６０とより構成し、
前記散水ノズル本体４０は，散水ノズル取付孔３１を長円状に押拡げた状態において，傾けて挿入可能で且つ散水ノズル取付孔３１の内径よりも大きい外径を持つところの偏平なベース部５０を，散水ノズル取付孔３１に通す略円柱状散水ノズル本体４０の下面に一体に結合して形成すると共に，
該ベース部５０の下面に開口する水通路４５を散水ノズル本体４０の先端側方の水噴出口４６に開口させ，而も下面に翼片傾斜面４２を有する翼片４１，４１を散水ノズル本体４０の外面に設け、
前記ノズル固定用キャップ６０は，散水ノズル本体４０を通す円形孔６６と翼片４１，４１を通す切欠６７，６７と回動したとき翼片傾斜面４２を押すキャップ傾斜面６８とを備え、
散水ノズル取付孔３１に挿入した状態の前記散水ノズル本体４０に、前記ノズル固定用キャップ６０を嵌込んで回動し締付けた位置においては，翼片傾斜面４２，４２がノズル固定用キャップ６０のキャップ傾斜面６８，６８に押され、ベース部５０とノズル固定用キャップ６０の略円筒状側壁部６１との間に，可撓ホース３０の散水ノズル取付孔３１の周囲部分が内外から挟み込まれることを特徴とするものである。
【０００７】
第２の発明は、第１の発明の構成に加えて、キャップ傾斜面６８，６８上に、翼片４１，４１が係合する凹部６９，６９を設けてなるものである。
【０００８】
【実施例】
本発明の実施例について、図２乃至図９により説明すると、３０は可撓ホース、３１は可撓ホース３０の壁に開けた散水ノズル取付孔、４０は野菜等に潅水する散水ノズル本体で、散水ノズル取付孔３１に取付けられる。４１，４１はその散水ノズル本体４０の外面に設けた翼片で、下面をヘリカル状に傾斜させ、翼片傾斜面４２が形成してある。
【０００９】
５０は前記散水ノズル取付孔３１に挿入可能に、散水ノズル本体４０の下面に一体に結合した偏平なベース部であって、散水ノズル取付孔３１の内径よりも大きい外径の円形フランジ５１の下面一側に庇部５２を一体に突出結合したものである。なお、４５はベース部５０の下面に開口する水通路、４６はその水通路４５の先端に側方に開口させた水噴出口である。
【００１０】
６０は散水ノズル本体４０のエラストマー製可撓ホース３０への取付部をシールするノズル固定用キャップであって、円筒状側壁部６１の内周面の一方の端部に、散水ノズル本体４０を通す円形孔６６と散水ノズル本体４０の外面の翼片４１，４１を通す切欠６７を備え、且つ、翼片４１，４１を通したのち回動させると、翼片４１，４１の翼片傾斜面４２，４２に押されて、締付けられるキャップ傾斜面６８，６８を備えたロック機構６５を設けてある。また、キャップ傾斜面６８，６８上にロック及び緩み止め機構として凹部６９，６９を設けてある。６２は突片である。
【００１１】
【作用】
散水ノズル本体４０の偏平なベース部５０を傾けて、可撓ホース３０の壁に開けた散水ノズル取付孔３１を長円状に押拡げて挿入したのち起こし、散水ノズル取付孔３１を復元力により真円形に戻した状態で、ノズル固定用キャップ６０を散水ノズル本体４０に嵌込んだのち回動させて締付けることによって、ベース部５０と組合わせて、散水ノズル取付孔３１の周囲部分の可撓ホース３０を内外から挟み込み、散水ノズル本体４０と可撓ホース３０との間をシールしてあるため、可撓ホース３０を使って水を供給し、散水ノズル本体４０から散水する際、散水ノズル本体４０を可撓ホース３０の壁に固定することが出来、散水ノズル本体４０の付け根から水漏れすることはない。
【００１２】
また、キャップ傾斜面６８，６８上に凹部６９，６９を設けているため、一旦翼片４１，４１を凹部６９，６９と係合させると、水圧により可撓ホースが膨張する程度の力では外れない。また、散水ノズル本体を可撓ホースに組付ける時に、散水ノズル本体の可撓ホースに対する取付角度が任意に設定出来るため、散水方向も簡単に設定・変更が出来る。また、可撓ホースからの散水ノズル本体の取外しも、従来のねじこみ式に比べ容易となる。
【００１３】
【発明の効果】
本発明は以上のように構成されるため、可撓ホース３０は可撓性があり、収納性を有し、長尺の可撓ホース３０も使用可能であり、散水位置・散水方向を自由に設定可能であり、しかも、散水ノズル本体４０の取付・取外しが容易で、シール性に優れている。
【図面の簡単な説明】
【図１】従来例を示す分解斜視図である。
【図２】本発明の散水ノズル本体の実施例を示す正面図である。
【図３】図２の右側面図である。
【図４】本発明のノズル固定用キャップの実施例を示す正面図である。
【図５】図４の平面図である。
【図６】図４の底面図である。
【図７】図５のＡ−Ａ切断正面図である。
【図８】本発明の実施例の取付状態を示す正面図である。
【図９】図８の垂直切断正面図である。
【図１０】本発明のノズル固定用キャップの別の実施例を示す正面図である。
【図１１】本発明の別の実施例の取付状態を示す正面図である。
【符号の説明】
１０            不撓管
１１            ネジ孔
２０            散水ノズル
２１            外ネジ部
３０            可撓ホース
３１            散水ノズル取付孔
４０            散水ノズル本体
４１            翼片
４２            翼片傾斜面
４５            水通路
４６            水噴出口
５０            ベース部
５１            円形フランジ
５２            庇部
６０            ノズル固定用キャップ
６１            側壁部
６２            突片
６５            ロック機構
６６            円形孔
６７            切欠
６８            キャップ傾斜面
６９            凹部
【図１】
0003622093.tif 000002
【図２】
0003622093.tif 000003
【図３】
0003622093.tif 000004
【図４】
0003622093.tif 000005
【図５】
0003622093.tif 000006
【図６】
0003622093.tif 000007
【図７】
0003622093.tif 000008
【図８】
0003622093.tif 000009
【図９】
0003622093.tif 000010
【図１０】
0003622093.tif 000011
【図１１】
0003622093.tif 000012